(57)【要約】【課題】管理装置での処理負担を増大させることなく、また登録者情報のセキュリティ性を低下させることなく、来訪者の入退室履歴を容易に記録する。【解決手段】来訪者カードに来訪者の個人情報を記録しておき、制御装置３０の入退室判定部３５で、来訪者カードから読み出した個人情報を含む履歴登録指示を管理装置４０へ通知し、管理装置４０の履歴管理部４７で、履歴登録指示に含まれている来訪者の個人情報を含む履歴情報を履歴情報記憶部４６へ保存する。【選択図】  図１
2010031466.tif 000002
【特許請求の範囲】
【請求項１】
予め登録されている登録者用のＩＤカードである登録者カードと、来訪者用のＩＤカードである来訪者カードと、前記登録者カードに固有のカードＩＤに基づき入退室判定情報記憶部から取得した入退室判定情報に基づいて当該登録者に対する施設への入退室可否を判定するとともに、前記来訪者カードから読み出された入退室判定情報に基づいて当該来訪者に対する前記施設への入退室可否を判定する入退室判定部と、前記登録者カードのカードＩＤごとに当該登録者に関する個人情報を記憶する登録者情報記憶部と、前記施設への入退室に関する履歴情報を記憶する履歴情報記憶部と、前記入退室判定部からの履歴登録指示に応じて当該施設への入退室に関する履歴情報を前記履歴情報記憶部へ保存する履歴管理部とを備える入退室管理システムであって、
前記入退室判定部は、前記ＩＤカードが前記登録者カードの場合には当該登録者カードから読み出した前記カードＩＤを含む登録者履歴登録指示を前記履歴登録指示として前記履歴管理部へ通知し、前記ＩＤカードが前記来訪者カードの場合には当該来訪者カードから読み出した前記個人情報を含む来訪者履歴登録指示を前記履歴登録指示として前記履歴管理部へ通知し、
前記履歴管理部は、前記入退室判定部からの前記登録者履歴登録指示に応じて、当該登録者履歴登録指示に含まれているカードＩＤに対応する前記登録者の個人情報を前記登録者情報記憶部から取得し、当該個人情報を含む履歴情報を前記履歴情報記憶部へ保存し、前記入退室判定部からの前記来訪者履歴登録指示に応じて、当該来訪者履歴登録指示に含まれている前記来訪者の個人情報を含む履歴情報を前記履歴情報記憶部へ保存する
ことを特徴とする入退室管理システム。
【請求項２】
請求項１に記載の入退室管理システムにおいて、
前記履歴管理部は、前記入退室判定部から通知された前記履歴登録指示に個人情報が含まれているか否かに応じて、当該履歴登録指示が登録者履歴登録指示か来訪者履歴登録指示かを確認することを特徴とする入退室管理システム。
【請求項３】
予め登録されている登録者用のＩＤカードである登録者カードと、来訪者用のＩＤカードである来訪者カードと、前記登録者カードに固有のカードＩＤに基づき入退室判定情報記憶部から取得した入退室判定情報に基づいて当該登録者に対する施設への入退室可否を判定するとともに、前記来訪者カードから読み出された入退室判定情報に基づいて当該来訪者に対する前記施設への入退室可否を判定する入退室判定部と、前記登録者カードのカードＩＤごとに当該登録者に関する個人情報を記憶する登録者情報記憶部と、前記施設への入退室に関する履歴情報を記憶する履歴情報記憶部と、前記入退室判定部からの履歴登録指示に応じて当該施設への入退室に関する履歴情報を前記履歴情報記憶部へ保存する履歴管理部とを備える入退室管理システムで用いられる入退室管理方法あって、
前記入退室判定部が、前記ＩＤカードが前記登録者カードの場合には当該登録者カードから読み出した前記カードＩＤを含む登録者履歴登録指示を前記履歴登録指示として前記履歴管理部へ通知し、前記ＩＤカードが前記来訪者カードの場合には当該来訪者カードから読み出した前記個人情報を含む来訪者履歴登録指示を前記履歴登録指示として前記履歴管理部へ通知するステップと、
前記履歴管理部が、前記入退室判定部からの前記登録者履歴登録指示に応じて、当該登録者履歴登録指示に含まれているカードＩＤに対応する前記登録者の個人情報を前記登録者情報記憶部から取得し、当該個人情報を含む履歴情報を前記履歴情報記憶部へ保存し、前記入退室判定部からの前記来訪者履歴登録指示に応じて、当該来訪者履歴登録指示に含まれている前記来訪者の個人情報を含む履歴情報を前記履歴情報記憶部へ保存するステップと
を備えることを特徴とする入退室管理方法。
【発明の詳細な説明】
【技術分野】
【０００１】
本発明は、入退室管理技術に関し、特に利用者に関する入退室可否を判定する際、当該利用者に関する入退室履歴を蓄積する技術に関する。
【背景技術】
【０００２】
入退室管理システムでは、個別のカードＩＤを記録したＩＤカードを登録者に配布するとともに、これらカードＩＤごとに、当該ＩＤカードの登録者に関する通行許可区分や個人情報を制御装置の入退室情報に登録しておき、施設のドアに設置されたカード端末でＩＤカードから取得したカードＩＤに基づいて、入退室情報を検索することにより入退室可否を判定するものとなっている。また、管理装置では、個々の判定結果を当該登録者の個人情報とともに、履歴情報データベースへ保存するものとなっている（例えば、特許文献１など参照）。
【０００３】
このような入退室管理システムにおいて、一時的な来訪者に対して前述と同様な入退室管理を適用する場合、当該来訪者に関する個人情報などを登録者情報へ入力し、その際に割り当てた来訪者用のカードＩＤを記録したＩＤカードを来訪者に発行することにより、登録者と同等に入退室を管理する方法が考えられる。これにより、来訪者に関する入退室履歴を容易に記録することが可能となり、入退室管理システム全体の安全性を高めることが可能となる。
【０００４】
【特許文献１】特開２００１−３２３６９５号公報
【発明の開示】
【発明が解決しようとする課題】
【０００５】
しかしながら、このような従来技術では、来訪者ごとに当該来訪者の個人情報を管理装置の登録者情報へ登録する必要があることから、膨大な登録者の個人情報が登録されている登録者情報に対して、新規来訪者を受付するごとにアクセスする必要があり、上記登録処理を行う管理装置の処理負担が増大したり、登録者情報のセキュリティ性が低下するという問題点があった。
本発明はこのような課題を解決するためのものであり、管理装置での処理負担を増大させることなく、また登録者情報のセキュリティ性を低下させることなく、来訪者の入退室履歴を容易に記録することができる入退室管理システムおよび入退室管理方法を提供することを目的としている。
【課題を解決するための手段】
【０００６】
このような目的を達成するために、本発明にかかる入退室管理システムは、予め登録されている登録者用のＩＤカードである登録者カードと、来訪者用のＩＤカードである来訪者カードと、登録者カードに固有のカードＩＤに基づき入退室判定情報記憶部から取得した入退室判定情報に基づいて当該登録者に対する施設への入退室可否を判定するとともに、来訪者カードから読み出された入退室判定情報に基づいて当該来訪者に対する施設への入退室可否を判定する入退室判定部と、登録者カードのカードＩＤごとに当該登録者に関する個人情報を記憶する登録者情報記憶部と、施設への入退室に関する履歴情報を記憶する履歴情報記憶部と、入退室判定部からの履歴登録指示に応じて当該施設への入退室に関する履歴情報を履歴情報記憶部へ保存する履歴管理部とを備える入退室管理システムであって、入退室判定部は、ＩＤカードが登録者カードの場合には当該登録者カードから読み出したカードＩＤを含む登録者履歴登録指示を履歴登録指示として履歴管理部へ通知し、ＩＤカードが来訪者カードの場合には当該来訪者カードから読み出した個人情報を含む来訪者履歴登録指示を履歴登録指示として履歴管理部へ通知し、履歴管理部は、入退室判定部からの登録者履歴登録指示に応じて、当該登録者履歴登録指示に含まれているカードＩＤに対応する登録者の個人情報を登録者情報記憶部から取得し、当該個人情報を含む履歴情報を履歴情報記憶部へ保存し、入退室判定部からの来訪者履歴登録指示に応じて、当該来訪者履歴登録指示に含まれている来訪者の個人情報を含む履歴情報を履歴情報記憶部へ保存する。
【０００７】
この際、履歴管理部で、入退室判定部から通知された履歴登録指示に個人情報が含まれているか否かに応じて、当該履歴登録指示が登録者履歴登録指示か来訪者履歴登録指示かを確認するようにしてもよい。
【０００８】
また、本発明にかかる入退室管理方法は、予め登録されている登録者用のＩＤカードである登録者カードと、来訪者用のＩＤカードである来訪者カードと、登録者カードに固有のカードＩＤに基づき入退室判定情報記憶部から取得した入退室判定情報に基づいて当該登録者に対する施設への入退室可否を判定するとともに、来訪者カードから読み出された入退室判定情報に基づいて当該来訪者に対する施設への入退室可否を判定する入退室判定部と、登録者カードのカードＩＤごとに当該登録者に関する個人情報を記憶する登録者情報記憶部と、施設への入退室に関する履歴情報を記憶する履歴情報記憶部と、入退室判定部からの履歴登録指示に応じて当該施設への入退室に関する履歴情報を履歴情報記憶部へ保存する履歴管理部とを備える入退室管理システムで用いられる入退室管理方法あって、入退室判定部が、ＩＤカードが登録者カードの場合には当該登録者カードから読み出したカードＩＤを含む登録者履歴登録指示を履歴登録指示として履歴管理部へ通知し、ＩＤカードが来訪者カードの場合には当該来訪者カードから読み出した個人情報を含む来訪者履歴登録指示を履歴登録指示として履歴管理部へ通知するステップと、履歴管理部が、入退室判定部からの登録者履歴登録指示に応じて、当該登録者履歴登録指示に含まれているカードＩＤに対応する登録者の個人情報を登録者情報記憶部から取得し、当該個人情報を含む履歴情報を履歴情報記憶部へ保存し、入退室判定部からの来訪者履歴登録指示に応じて、当該来訪者履歴登録指示に含まれている来訪者の個人情報を含む履歴情報を履歴情報記憶部へ保存するステップとを備えている。
【発明の効果】
【０００９】
本発明によれば、来訪者の個人情報を履歴情報として保存する場合でも、来訪者の個人情報を登録者情報へ登録する必要がなくなる。これにより、膨大な登録者の個人情報が登録されている登録者情報に対して、新規来訪者を受付するごとにアクセスする必要がなくなる。したがって、登録者情報を管理する管理装置での処理負担を増大させることなく、また登録者情報のセキュリティ性を低下させることなく、来訪者の入退室履歴を容易に記録することができる。
【発明を実施するための最良の形態】
【００１０】
次に、本発明の実施の形態について図面を参照して説明する。
［実施の形態の構成］
まず、図１を参照して、本発明の一実施の形態にかかる入退室管理システムについて説明する。図１は、本発明の一実施の形態にかかる入退室管理システムの構成を示すブロック図である。
【００１１】
この入退室管理システム１００には、ＩＤカード１０、カード端末２２、電気錠２３、制御装置３０、管理装置４０、および受付装置５０が含まれている。各部屋２０のドア２１に対して設置されているカード端末２２および電気錠２３は、通信回線Ｌ１を介してそれぞれデータ通信可能に制御装置３０と接続されている。管理装置４０には、通信回線Ｌ２を介して制御装置３０と受付装置５０とがデータ通信可能に接続されている。この際、入退室管理システムの規模に応じて、制御装置３０を複数設けてもよい。
【００１２】
ＩＤカード１０は、メモリカードやＩＣカードなどの携帯可能な情報処理用のカードからなり、当該ＩＤカードを所持する利用者の入退室可否を判定するために必要なカード情報を記録する機能を有している。
本発明では、ＩＤカード１０として登録者カードと来訪者カードの２種類のＩＤカードを用いる。登録者カードは、入退室管理システム１００の管理下にある施設を常用する登録者に予め配布するＩＤカードである。来訪者カードは、入退室管理システムの管理下にある施設を一時的に利用する来訪者に配布するＩＤカードである。
【００１３】
カード端末２２は、部屋２０のドア２１ごとに設けられた、カードリーダなどのカード処理装置からなり、カードスロットへＩＤカードを挿入し（接触型）、あるいはカードアンテナへＩＤカードをかざすことにより（非接触型）、利用者が提示したＩＤカード１０からカード情報を読み出す機能と、当該カード情報を制御装置３０へ通信回線Ｌ１を介して送信する機能とを有している。
【００１４】
この際、カード端末２２は、カード情報に含まれる「貸与フラグ」に基づいて、当該ＩＤカード１０が登録者カードか来訪者カードかを確認し、当該ＩＤカード１０が来訪者カードの場合には、カード情報に含まれているカードＩＤと個人情報を、電文により制御装置３０へ通知する。一方、当該ＩＤカード１０が登録者カードの場合、カード端末２２は、当該カードＩＤのみを電文により制御装置３０へ通知する。
【００１５】
電気錠２３は、部屋２０のドア２１ごとに設けられた電動式の錠前からなり、通信回線Ｌ１を介して受信した制御装置３０からの開錠／施錠の指示に応じて、ドア２１の開錠／施錠を行う機能を有している。なお、電気錠２３は、常時、施錠されており、制御装置３０から開錠指示が到来した場合にのみ所定期間だけ開錠するものとする。
【００１６】
制御装置３０は、設備の管理・監視を行う各種制御システムで用いられるコントローラなどの制御装置からなり、カード端末２２でＩＤカード１０から読み取られたカード情報に基づき、入退室可否の判定を行う機能を有している。
図２は、制御装置の構成例を示すブロック図である。この制御装置３０には、主な機能部として、通信インターフェース部（以下、通信Ｉ／Ｆ部という）３１、端末インターフェース部（以下、端末Ｉ／Ｆ部という）３２、記憶部３３、入退室判定情報記憶部３４、および入退室判定部３５が設けられており、これら機能部は、バス３９を介して相互にデータやり取り可能に接続されている。
【００１７】
通信Ｉ／Ｆ部３１は、通信回線Ｌ２を介して管理装置４０などの外部装置とデータ通信を行う機能を有している。
端末Ｉ／Ｆ部３２は、通信回線Ｌ１を介してカード端末２２や電気錠２３などの外部端末とデータ通信を行う機能を有している。
記憶部３３は、メモリやハードディスクなどの記憶装置からなり、制御装置３０での処理動作に用いる各種情報やプログラムを記憶する機能を有している。
【００１８】
入退室判定情報記憶部３４は、メモリやハードディスクなどの記憶装置からなり、入退室管理システム１００の管理下にある施設を常用する登録者に関する入退室判定情報を記憶する記憶部である。図３は、入退室判定情報の構成例である。この例では、登録者を識別するための「カードＩＤ」ごとに、当該登録者の利用時間帯を示す「アクセスレベル」と、当該登録者が通行許可されているドアを示す「通行許可区分」と、入退室の履歴保存の要否を示す「履歴フラグ」とが、組として保存されている。
【００１９】
入退室判定部３５は、ＣＰＵとプログラムとが協働してなる演算処理部により構成されており、端末Ｉ／Ｆ部３２を介して受信したカード端末２２からのカード情報に応じて入退室可否を判定する機能と、その入退室判定結果を端末Ｉ／Ｆ部３２から要求元のカード端末２２へ返送する機能と、入退室可を示す判定結果に応じて当該カード端末２２と対応するドア２１の電気錠２３に対する開錠／施錠の指示を端末Ｉ／Ｆ部３２から送信する機能と、入退室可を示す判定結果に応じて当該入退室に関する履歴の履歴登録指示を通信Ｉ／Ｆ部３１から管理装置４０へ送信する機能とを有している。
【００２０】
この際、入退室判定部３５は、電文により受信したカード情報に「個人情報」が含まれているか否かに基づいて、カード端末２２で読み取ったＩＤカード１０が登録者カードか来訪者カードかを確認する。ここで、当該ＩＤカード１０が来訪者カードの場合には、カード情報に含まれているカードＩＤと個人情報を履歴登録指示により管理装置４０へ通知する。一方、当該ＩＤカード１０が登録者カードの場合、入退室判定部３５は、当該カードＩＤのみを履歴登録指示により管理装置４０へ通知する。
【００２１】
管理装置４０は、サーバ装置やパソコンなどの情報処理装置からなる。図４は、管理装置の構成例を示すブロック図である。
管理装置４０には、主な機能部として、通信Ｉ／Ｆ部４１、操作入力部４２、画面表示部４３、記憶部４４、登録者情報記憶部４５、履歴情報記憶部４６、および履歴管理部４７が設けられており、これら機能部は、バス４９を介して相互にデータやり取り可能に接続されている。
【００２２】
通信Ｉ／Ｆ部４１は、通信回線Ｌ２を介して制御装置３０や受付装置５０などの外部装置とデータ通信を行う機能を有している。
操作入力部４２は、キーボードやマウスなどの操作入力装置からなり、オペレータ操作を検出して、履歴管理部４７などの各種機能部へ出力する機能を有している。
画面表示部４３は、ＬＣＤやＰＤＰなどの画面表示装置からなり、履歴管理部４７などの各種機能部から出力された各種情報を画面表示する機能を有している。
記憶部４４は、メモリやハードディスクなどの記憶装置からなり、管理装置４０での処理動作に用いる各種情報やプログラムを記憶する機能を有している。
【００２３】
登録者情報記憶部４５は、メモリやハードディスクなどの記憶装置からなり、入退室管理システム１００の管理下にある施設を常用する登録者に関する個人情報を記憶する記憶部である。図５は、登録者情報の構成例である。この例では、登録者を識別するための「カードＩＤ」ごとに、「氏名」,「所属」,「電話番号」,「メールアドレス」などの個人情報が組として保存されている。
履歴情報記憶部４６は、メモリやハードディスクなどの記憶装置からなり、入退室管理システム１００の管理下にある施設での入退室の履歴を示す履歴情報を記憶する記憶部である。
【００２４】
履歴管理部４７は、ＣＰＵとプログラムとが協働してなる演算処理部により構成されており、制御装置３０からの履歴登録指示に応じて、制御装置３０の入退室判定部３５で判定した入退室に関する履歴を履歴情報として履歴情報記憶部４６へ保存する機能を有している。
この際、履歴管理部４７は、受信した履歴登録指示に個人情報が含まれている場合、履歴登録指示の個人情報とカードＩＤと含む履歴情報を履歴情報記憶部４６へ保存する。一方、受信した履歴登録指示に個人情報が含まれていない場合、履歴登録指示のカードＩＤに対応する登録者の個人情報を登録者情報記憶部４５から取得し、この個人情報とカードＩＤと含む履歴情報を履歴情報記憶部４６へ保存する。
【００２５】
受付装置５０は、サーバ装置やパソコンなどの情報処理装置からなる。図６は、受付装置の構成例を示すブロック図である。
受付装置５０には、主な機能部として、通信Ｉ／Ｆ部５１、カードインターフェース部（以下、カードＩ／Ｆ部という）５２、操作入力部５３、画面表示部５４、記憶部５５、来訪者情報記憶部５６、およびＩＤカード処理部５７が設けられており、これら機能部は、バス５９を介して相互にデータやり取り可能に接続されている。また、ＩＤカード処理部５７は、ＣＰＵとプログラムとが協働してなる演算処理部により構成されている。
【００２６】
通信Ｉ／Ｆ部５１は、通信回線Ｌ２を介して制御装置３０などの外部装置とデータ通信を行う機能を有している。なお、本発明では、受付装置５０と制御装置３０または管理装置４０との間でデータ通信を行う必要はない。
カードＩ／Ｆ部５２は、無線／有線による通信インターフェース装置や磁気記録再生装置などのカード処理装置からなり、利用者が提示したＩＤカード１０との間でカード情報１１の読み出し／書き込みを行う機能を有している。
【００２７】
操作入力部５３は、キーボードやマウスなどの操作入力装置からなり、オペレータや来訪者の操作を検出して、ＩＤカード処理部５７などの各種機能部へ出力する機能を有している。
画面表示部５４は、ＬＣＤやＰＤＰなどの画面表示装置からなり、入退室判定部３５や履歴管理部４７などの各種機能部から出力された各種情報を画面表示する機能を有している。
【００２８】
記憶部５５は、メモリやハードディスクなどの記憶装置からなり、受付装置５０での処理動作に用いる各種情報やプログラムを記憶する機能を有している。
来訪者情報記憶部５６は、メモリやハードディスクなどの記憶装置からなり、入退室管理システム１００の管理下にある施設を一時利用する来訪者に関する来訪者情報を記憶する記憶部である。
【００２９】
ＩＤカード処理部５７は、来訪者の来訪時に、操作入力部５３からオペレータまたは当該来訪者により入力された当該来訪者の個人情報および入退室判定情報を取得する機能と、入力された個人情報および入退室判定情報を新たに付与した来訪者のカードＩＤに関連付けて来訪者情報記憶部５６へ保存する機能と、当該カードＩＤ、個人情報、および入退室判定情報を含むカード情報１１をカードＩ／Ｆ部５２によりＩＤカード１０へ書き込む機能とを有している。
【００３０】
図７は、カード情報の構成例である。この例では、来訪者を識別するための「カードＩＤ」ごとに、「氏名」,「所属」,「電話番号」,「メールアドレス」などの個人情報と、当該来訪者の入退室判定情報を示す「アクセスレベル」および「通行許可区分」と、入退室の履歴保存の要否を示す「履歴フラグ」と、当該ＩＤカードが来訪者カードであることを示す「貸与フラグ」とが、組として保存されている。
【００３１】
［実施の形態の動作］
次に、本発明の一実施の形態にかかる入退室管理システムの動作について説明する。以下では、入退室管理システム１００において、入退室する利用者が登録者の場合と来訪者の場合とを別個に説明する。
【００３２】
［登録者に対する入退室判定動作］
まず、図８を参照して、登録者に対する入退室管理システムの動作について説明する。図８は、本発明の一実施の形態にかかる入退室管理システムの動作（登録者）を示すシーケンス図である。
ここでは、登録者がドア２１から部屋２０について入退室する際、提示された登録者カードから読み出したカード情報に基づいて、入退室可否判定を行うとともに履歴情報を保存する場合について説明する。
【００３３】
カード端末２２は、利用者が提示したＩＤカード１０からカード情報を読み出し（ステップ１００）、カード情報に含まれる「貸与フラグ」に基づいて、当該ＩＤカード１０のカード種別、すなわち登録者カードか来訪者カードかを確認する（ステップ１０１）。
この例では、「貸与フラグ」が「２」を示す登録者カードであることから、カード端末２２は、当該カード情報に含まれているカードＩＤのみを、通信回線Ｌ１を介して制御装置３０へ電文により送信する（ステップ１０２）。なお、「貸与フラグ」が「１」を示す来訪者カードの場合、カード端末２２は、当該カード情報に含まれているカードＩＤと個人情報を、通信回線Ｌ１を介して制御装置３０へ電文により送信する（ステップ１０２）。
【００３４】
制御装置３０の入退室判定部３５は、端末Ｉ／Ｆ部３２によりカード端末２２からの電文を受信し、この電文のカード情報に「個人情報」が含まれているか否かに基づいて、当該ＩＤカード１０のカード種別、すなわち登録者カードか来訪者カードかを確認する（ステップ１０３）。
この例では、受信した電文のカード情報に「個人情報」が含まれていないことから、入退室判定部３５は、当該ＩＤカード１０が一時的に貸与された来訪者カードではなく、登録者に配布された登録者カードであることを確認する。なお、受信した電文のカード情報に「個人情報」が含まれている場合、入退室判定部３５は、当該ＩＤカード１０が一時的に貸与された来訪者カードであることを確認し、後述する図１１のステップ２１０へ移行する。
【００３５】
このようにして、当該ＩＤカード１０が登録者カードであることを確認した場合、入退室判定部３５は、受信した電文のカード情報からカードＩＤを取得して、このカードＩＤに対応する入退室判定情報を入退室判定情報記憶部３４から検索し（ステップ１０４）、その検索結果に応じて当該カードＩＤが入退室判定情報記憶部３４に登録されている正規登録ＩＤがどうか確認する（ステップ１０５）。
【００３６】
ここで、利用者のカードＩＤに対応する入退室判定情報の検索が失敗し、当該カードＩＤが正規登録ＩＤであると確認できなかった場合（ステップ１０５：ＮＯ）、入退室判定部３５は、入退室不可を示す判定結果を端末Ｉ／Ｆ部３２からカード端末２２へ入退室不可を通知する（ステップ１１０）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１１１）。
【００３７】
一方、ステップ１０５において、利用者のカードＩＤに対応する入退室判定情報の検索が成功し、当該カードＩＤが正規登録ＩＤであると確認できた場合（ステップ１０５：ＹＥＳ）、入退室判定部３５は、記憶部４４からアクセスレベル設定情報を読み出し（ステップ１２０）、ステップ１１０で入退室判定情報記憶部３４から検索した入退室判定情報のアクセスレベルおよび通行許可区分と当該カード端末２２に対応するドアＩＤとに基づき入退室の可否を判定する（ステップ１２１）。ドアＩＤについては、カード端末２２からカード情報とともに取得してもよく、カード端末２２の通信アドレスや収容位置などの識別情報とドアＩＤとを対応付けて記憶部３３に予め設定しておいてもよい。
【００３８】
図９は、アクセスレベル設定情報を示す説明図である。このアクセスレベル設定情報は、各ドア２１に固有のドアＩＤごとに、アクセスレベルと入退室の時間帯との対応関係が設定された情報である。このアクセスレベルを利用者（登録者および来訪者）に対して予め割り当てておくことにより、当該利用者が入退室する時間帯をドアごとに制限することが可能となる。また、通行許可区分は、利用者が利用可能な施設や通行可能な範囲に存在するドア２１を示すドアＩＤのリストからなる。
【００３９】
この際、入退室判定部３５は、カード情報の送信元であるカード端末２２に対応するドア２１のドアＩＤが、入退室判定情報記憶部３４から検索した通行許可区分のドアＩＤリストに登録されており、かつ入退室判定情報記憶部３４から検索したアクセスレベルと当該ドアＩＤとから、当該判定時の時間帯に当該ドア２１の通過が許可されている場合にのみ入退室可能と判定し、これ以外の場合には入退室不可と判定する。
【００４０】
ステップ１２１において、入退室不可と判定された場合（ステップ１２２：ＮＯ）、入退室判定部３５は、入退室不可を示す判定結果を端末Ｉ／Ｆ部３２からカード端末２２へ通知する（ステップ１２３）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１２４）。
【００４１】
一方、ステップ１２１において、入退室可能と判定された場合（ステップ１２２：ＹＥＳ）、入退室判定部３５は、入退室可能を示す判定結果を端末Ｉ／Ｆ部３２からカード端末２２へ通知するとともに（ステップ１３１）、電気錠２３に対して開錠を指示する（ステップ１３２）。
カード端末２２は、制御装置３０からの入退室許可の通知に応じて、入退室許可である旨を利用者へ表示する（ステップ１３２）。また、電気錠２３は、制御装置３０からの開錠指示に応じて、ドア２１を一時的に開錠する（ステップ１３３）。これにより、利用者はドア２１を通行することが可能となる。
【００４２】
また、ステップ１２１において、入退室可能と判定された場合（ステップ１２２：ＹＥＳ）、入退室判定部３５は、入退室判定情報記憶部３４から検索した入退室判定情報の履歴フラグを確認し、この履歴フラグが「１」であり、履歴の登録が必要であることが確認された場合、当該入退室に関する履歴の履歴登録指示に当該カードＩＤを含めて、通信Ｉ／Ｆ部３１から管理装置４０へ送信する（ステップ１３４）。この際、履歴フラグに依存せず、すべての入退室判定について履歴を登録するようにしてもよい。また、入退室可能と判定された場合だけでなく、入退室不可と判定された場合にも履歴を登録するようにしてもよい。
【００４３】
管理装置４０の履歴管理部４７は、通信Ｉ／Ｆ部４１を介して制御装置３０から履歴登録指示を受信し、この履歴登録指示に個人情報が含まれていないことから、当該履歴登録指示で通知されたカードＩＤに対応する登録者の個人情報を登録者情報記憶部４５から検索して取得し（ステップ１４０）、この個人情報を含む履歴情報を履歴情報記憶部４６へ保存する（ステップ１４１）。
【００４４】
図１０は、履歴情報の構成例である。この例では、入退室判定時の「日付」および「日時」、入退室判定対象となったドアの識別情報である「ドアＩＤ」、入退室の方向を示す「入退」、入退室判定対象となった利用者の「ＩＤ」,「氏名」,「所属」,「電話番号」,「メールアドレス」などの個人情報が、組として保存されている。
【００４５】
［来訪者に対する入退室判定動作］
次に、図１１を参照して、来訪者に対する入退室管理システムの動作について説明する。図１１は、本発明の一実施の形態にかかる入退室管理システムの動作（来訪者）を示すシーケンス図であり、図８と同じまたは同等部分については同一符号を付してある。
ここでは、来訪者がドア２１から部屋２０について入退室する際、提示された来訪者カードから読み出したカード情報に基づき、入退室可否判定を行うとともに履歴情報を保存する場合について説明する。
【００４６】
カード端末２２は、利用者が提示したＩＤカード１０からカード情報を読み出し（ステップ１００）、カード情報に含まれる「貸与フラグ」に基づいて、当該ＩＤカード１０のカード種別、すなわち登録者カードか来訪者カードかを確認する（ステップ１０１）。
この例では、「貸与フラグ」が「１」を示す来訪者カードであることから、カード端末２２は、当該カード情報に含まれているカードＩＤと個人情報を、通信回線Ｌ１を介して制御装置３０へ電文により通知する（ステップ１０２）。「貸与フラグ」が「２」を示す登録カードの場合、カード端末２２は、当該カード情報に含まれているカードＩＤのみを制御装置３０へ通知する（ステップ１０２）。
【００４７】
制御装置３０の入退室判定部３５は、端末Ｉ／Ｆ部３２によりカード端末２２からの電文を受信し、この電文のカード情報に「個人情報」が含まれているか否かに基づいて、当該ＩＤカード１０のカード種別、すなわち登録者カードか来訪者カードかを確認する（ステップ１０３）。
この例では、受信した電文のカード情報に「個人情報」が含まれていることから、入退室判定部３５は、当該ＩＤカード１０が一時的に付与された来訪者カードであることを確認する。なお、受信した電文のカード情報に「個人情報」が含まれていない場合、入退室判定部３５は、当該カードが登録者カードであることを確認し、前述した図８のステップ１０３へ移行する。
【００４８】
このようにして、当該ＩＤカード１０が来訪者カードであることが確認した場合、入退室判定部３５は、受信した電文のカード情報から、カードＩＤ、個人情報、および入退室判定情報を取得する（ステップ２１０）。
また、入退室判定部３５は、記憶部４４からアクセスレベル設定情報を読み出し（ステップ１２０）、ステップ１１０で入退室判定情報記憶部３４から検索した入退室判定情報のアクセスレベルおよび通行許可区分とドアＩＤとに基づき入退室の可否を判定する（ステップ１２１）。
【００４９】
この際、入退室判定部３５は、カード情報の送信元であるカード端末２２に対応するドア２１のドアＩＤが、カード情報から取得した入退室判定情報の通行許可区分のドアＩＤリストに登録されており、かつカード情報から取得したアクセスレベルと当該ドアＩＤとから、当該判定時の時間帯に当該ドア２１の通過が許可されている場合にのみ入退室可能と判定し、これ以外の場合には入退室不可と判定する。
【００５０】
ステップ１２１において、入退室不可と判定された場合（ステップ１２２：ＮＯ）、入退室判定部３５は、入退室不可を示す判定結果を端末Ｉ／Ｆ部３２からカード端末２２へ通知する（ステップ１２３）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１２４）。
【００５１】
一方、ステップ１２１において、入退室可能と判定された場合（ステップ１２２：ＹＥＳ）、入退室判定部３５は、入退室可能を示す判定結果を端末Ｉ／Ｆ部３２からカード端末２２へ通知するとともに（ステップ１３１）、電気錠２３に対して開錠を指示する（ステップ１３２）。
カード端末２２は、制御装置３０からの入退室許可の通知に応じて、入退室許可である旨を利用者へ表示する（ステップ１３２）。また、電気錠２３は、制御装置３０からの開錠指示に応じて、ドア２１を一時的に開錠する（ステップ１３３）。これにより、利用者はドア２１を通行することが可能となる。
【００５２】
また、ステップ１２１において、入退室可能と判定された場合（ステップ１２２：ＹＥＳ）、入退室判定部３５は、入退室判定情報記憶部３４から検索した入退室判定情報の履歴フラグを確認し、この履歴フラグが「１」であり、履歴の登録が必要であることが確認された場合、当該入退室に関する履歴の履歴登録指示にカード情報から取得した個人情報と当該カードＩＤとを含めて、通信Ｉ／Ｆ部３１から管理装置４０へ送信する（ステップ１３４）。この際、履歴フラグに依存せず、すべての入退室判定について履歴を登録するようにしてもよい。また、入退室可能と判定された場合だけでなく、入退室不可と判定された場合にも履歴を登録するようにしてもよい。
【００５３】
管理装置４０の履歴管理部４７は、通信Ｉ／Ｆ部４１を介して制御装置３０から履歴登録指示を受信し、この履歴登録指示に個人情報が含まれていることから、当該履歴登録指示から個人情報を取得し（ステップ２４０）、この個人情報と当該履歴登録指示で通知されたカードＩＤとを含む履歴情報を履歴情報記憶部４６へ保存する（ステップ１４１）。これにより、登録者情報記憶部４５に個人情報が登録されていない来訪者についても、登録者と同様に、当該来訪者の個人情報を含む履歴情報を保存することができる。
【００５４】
［実施の形態の効果］
このように、本実施の形態では、来訪者カードに来訪者の個人情報を記録しておき、制御装置の入退室判定部で、来訪者カードから読み出した個人情報を含む履歴登録指示を管理装置へ通知し、管理装置の履歴管理部で、履歴登録指示に含まれている来訪者の個人情報を含む履歴情報を履歴情報記憶部へ保存するようにしたので、来訪者の個人情報を履歴情報として保存する場合でも、来訪者の個人情報を管理装置の登録者情報へ登録する必要がなくなる。
これにより、膨大な登録者の個人情報が登録されている登録者情報に対して、新規来訪者を受付するごとにアクセスする必要がなくなる。したがって、管理装置での処理負担を増大させることなく、また登録者情報のセキュリティ性を低下させることなく、来訪者の入退室履歴を容易に記録することができる。
【００５５】
［実施の形態の拡張］
以上の説明では、制御装置３０に入退室判定部３５を設けて、カード端末２２でＩＤカード１０から読み取ったカード情報に基づき入退室判定を行う場合を例として説明したが、これに限定されるものではなく、管理装置４０で入退室判定を行ってもよい。
この場合、制御装置３０の入退室判定部３５や入退室判定情報記憶部３４を管理装置４０に設け、管理装置４０とカード端末２２や電気錠２３との間でやり取りする、ＩＤカード１０から読み取ったカード情報や各種メッセージを制御装置３０で双方へ転送すればよい。これにより、前述と同様の作用効果が得られる。
【００５６】
また、以上では、管理装置４０の履歴管理部４７で、制御装置３０から受信した履歴登録指示が登録者履歴登録指示か来訪者履歴登録指示かを確認する際、これら履歴登録指示に個人情報が含まれているか否かに基づき両者を区別する場合について説明したが、これに限定されるものではない。例えば、制御装置３０の入退室判定部３５において、登録者履歴登録指示と来訪者履歴登録指示とを区別する区別情報を履歴登録指示へ含めて通知してもよい。また、登録者のカードＩＤおよび来訪者のカードＩＤとして、両者が区別可能なＩＤ値を予め付与する方法を用いてもよい。これにより判定要求電文に両者を区別する区別情報を追加することなく、両者を区別できる。
【図面の簡単な説明】
【００５７】
【図１】本発明の一実施の形態にかかる入退室管理システムの構成を示すブロック図である。
【図２】制御装置の構成例を示すブロック図である。
【図３】入退室判定情報の構成例である。
【図４】管理装置の構成例を示すブロック図である。
【図５】登録者情報の構成例であると。
【図６】受付装置の構成例を示すブロック図である。
【図７】カード情報の構成例である。
【図８】本発明の一実施の形態にかかる入退室管理システムの動作（登録者）を示すシーケンス図である。
【図９】アクセスレベル設定情報を示す説明図である。
【図１０】履歴情報の構成例である。
【図１１】本発明の一実施の形態にかかる入退室管理システムの動作（来訪者）を示すシーケンス図である。
【符号の説明】
【００５８】
１００…入退室管理システム、１０…ＩＤカード、１１…カード情報、２０…部屋、２１…ドア、２２…カード端末、２３…電気錠、３０…制御装置、３１…通信Ｉ／Ｆ部、３２…端末Ｉ／Ｆ部、３３…記憶部、３４…入退室判定情報記憶部、３５…入退室判定部、３９…バス、４０…管理装置、４１…通信Ｉ／Ｆ部、４２…操作入力部、４３…画面表示部、４４…記憶部、４５…登録者情報記憶部、４６…履歴情報記憶部、４７…履歴管理部、４９…バス、５０…受付装置、５１…通信Ｉ／Ｆ部、５２…カードＩ／Ｆ部、５３…操作入力部、５４…画面表示部、５５…記憶部、５６…来訪者情報記憶部、５７…ＩＤカード処理部、５９…バス、Ｌ１，Ｌ２…通信回線。
【図１】
2010031466.tif 000003
【図２】
2010031466.tif 000004
【図３】
2010031466.tif 000005
【図４】
2010031466.tif 000006
【図５】
2010031466.tif 000007
【図６】
2010031466.tif 000008
【図７】
2010031466.tif 000009
【図８】
2010031466.tif 000010
【図９】
2010031466.tif 000011
【図１０】
2010031466.tif 000012
【図１１】
2010031466.tif 000013